(57)【要約】【課題】顔の位置決め性能が高く、暗所を作りやすい顔位置決め装置を提供する。【解決手段】顔Ａを所定の位置に保持するための顔位置決め装置Ｂに関する。人の頭部Ｔを挿入するための開口部１を有するエアバック２と、このエアバック２を取り付けるための取付孔３を有する支持部材４と、支持部材４に取り付けたエアバック２に空気を供給して膨張させるための空気供給機５とを備える。開口部１に挿入した頭部Ｔの上面、側面及び下面に圧接する状態と圧接しない状態との間でエアバック２を膨張収縮自在に形成する。エアバック２で頭部Ｔを全周から囲んで保持することができる。【選択図】図１
2007260175.tif 000002
【特許請求の範囲】
【請求項１】
顔を所定の位置に保持するための顔位置決め装置であって、人の頭部を挿入するための開口部を有するエアバックと、このエアバックを取り付けるための取付孔を有する支持部材と、支持部材に取り付けたエアバックに空気を供給して膨張させるための空気供給機とを備え、開口部に挿入した頭部の上面、側面及び下面に圧接する状態と圧接しない状態との間でエアバックを膨張収縮自在に形成して成ることを特徴とする顔位置決め装置。
【請求項２】
エアバックを複数のエア室に区分し、各エア室ごとに膨張量を調整自在に形成して成ることを特徴とする請求項１に記載の顔位置決め装置。
【請求項３】
請求項１又は２に記載の顔位置決め装置を備えた眼科機器であって、眼科機器本体を内蔵する筐体を顔位置決め装置の支持部材として形成し、筐体に取付孔を形成すると共に取付孔にエアバックを設けて成ることを特徴とする眼科機器。
【発明の詳細な説明】
【技術分野】
【０００１】
本発明は、視野計や視力計などの眼科で使用する眼科機器及びこの眼科機器に好適に用いられる顔位置決め装置に関するものである。
【背景技術】
【０００２】
従来より、眼科機器を用いて被験者の目の性能を測定するにあたっては、被験者の顔を所定位置に固定して位置決めすることが行われている。この顔の位置決めは、通常、顎受け台と額当てとを備えた顔受け台を用いて行われており、最近では、顔の位置決め性能を高くするために、吸着盤を備えたものが提案されている（特許文献１参照）。
【０００３】
図１０は特許文献１に記載された顔受け台３０を示している。この顔受け台３０は、一対の支柱３１、３１の間に額当て３２及び顎受け３３を架け渡して設けると共に額当て３２と顎受け３３に吸着盤３４、３５を設け、さらに吸着盤３４、３５とチューブ３６、３７により真空ポンプ３８に接続しているものである。そして、額当て３２及び吸着盤３４に額を押し当てると共に顎受け３３及び吸着盤３５に顎を載せ、この状態で真空ポンプ３８を作動させることにより、額と顎に吸着盤３４、３５を吸着して顔Ａの位置決めを行うものである。これにより、単に額当て３２に額を押し当てたり顎受け３３に顎を載せたりする場合に比べて、顔Ａの位置決め性能を高くすることができるものである。
【０００４】
しかし、上記の顔受け台３０では、額と顎に吸着盤３４、３５を吸着しているだけであり、顔Ａが動きやすくて位置決め性能が低いという問題があった。また、顔受け台３０と顔との間に隙間ができ、その隙間を光が通過して暗所を作れないという問題があった。
【特許文献１】特開平７−２３１８７４号公報
【発明の開示】
【発明が解決しようとする課題】
【０００５】
本発明は上記の点に鑑みてなされたものであり、顔の位置決め性能が高く、暗所を作りやすい顔位置決め装置及びそれを備えた眼科機器を提供することを目的とするものである。
【課題を解決するための手段】
【０００６】
本発明は、顔Ａを所定の位置に保持するための顔位置決め装置Ｂであって、人の頭部Ｔを挿入するための開口部１を有するエアバック２と、このエアバック２を取り付けるための取付孔３を有する支持部材４と、支持部材４に取り付けたエアバック２に空気を供給して膨張させるための空気供給機５とを備え、開口部１に挿入した頭部Ｔの上面、側面及び下面に圧接する状態と圧接しない状態との間でエアバック２を膨張収縮自在に形成して成ることを特徴とするものである。
【０００７】
本発明の顔位置決め装置Ｂにあっては、エアバック２を複数のエア室２ａ、２ａ…に区分し、各エア室２ａごとに膨張量を調整自在に形成することができる。
【０００８】
本発明の眼科機器Ｃは、請求項１又は２に記載の顔位置決め装置Ｂを備えた眼科機器Ｃであって、眼科機器本体７を内蔵する筐体６を顔位置決め装置Ｂの支持部材４として形成し、筐体６に取付孔３を形成すると共に取付孔３にエアバック２を設けて成ることを特徴とするものである。
【発明の効果】
【０００９】
本発明の顔位置決め装置Ｂでは、膨張したエアバック２を頭部Ｔの上面、側面及び下面に沿って圧接させることによって、エアバック２で頭部Ｔを全周から囲んで保持することができ、顔Ａが支持部材４に対して上下左右前後に不用意に動きにくくなって、位置決め性能を高くすることができるものである。また、膨張したエアバック２を顔Ａの輪郭に沿って頭部Ｔの全周面に密着させることで、エアバック２と顔Ａとの間に隙間が無くなって光が通過しにくくなり、暗所が作りやすくなるものである。
【００１０】
そして、上記顔位置決め装置Ｂを備えた眼科機器Ｃでは、筐体６に内蔵された眼科機器本体７に対する顔Ａの位置決め性を高くすることができ、目の性状等の測定精度を高くすることができるものであり、しかも、筐体６内を容易に暗所にすることができるものである。
【発明を実施するための最良の形態】
【００１１】
以下、本発明を実施するための最良の形態を説明する。
【００１２】
図２に本発明の眼科機器Ｃの一例として視野計のブロック図を示す。この視野計は、液晶ディスプレイ４１と赤外光発光ダイオード４２とＣＣＤカメラ４３とハーフミラー４４などの光学的部品からなる眼科機器本体７と、画像処理表示装置４５とコンピュータ４６などからなる処理部４７とを主要な構成として備えるものである。図１に示すように、上記の液晶ディスプレイ４１などからなる眼科機器本体７は筐体（箱体）６の内部に収納されており、図３に示すように、画像処理表示装置４５等からなる処理部４７は筐体６の外側に設けることができる。尚、図２において、符号Ｅは眼球である。
【００１３】
本発明の顔位置決め装置Ｂは、上記の筐体６とエアバック２及び空気供給機５を備えて形成されている。筐体６は眼科機器本体７を内蔵してその内部を暗所にするために用いるのと同時に、エアバック２を取り付けて支持するための支持部材４としても作用するものであり、筐体６の一の側壁（液晶ディスプレイ４１の表示面と対向する側壁）にはエアバック２を取り付けるための取付孔３が形成されている。
【００１４】
エアバック２は風船のようなチューブあるいは袋体で形成されるものであって、その内部に空気を供給することにより膨張し、逆に、内部から空気を排出することにより収縮するように膨張収縮自在に形成されている。また、エアバック２の略中央部には開口部１が設けられており、エアバック２はドーナツのような環状に形成されるものである。エアバック２は筐体６の取付孔３の縁部に沿って、取付孔３の全周に亘って設けられている。
【００１５】
空気供給機５は空気をエアバック２に供給するためのものであり、例えば、エアポンプを用いることができる。空気供給機５とエアバック２とは配管５ａにより接続されている。
【００１６】
そして、上記の顔位置決め装置Ｂは次のようにして顔Ａの位置決めを行う。まず、筐体６の取付孔３に取り付けたエアバック２から空気を抜いて収縮状態にし、図４に示すように、このエアバック２の開口部１に被験者の頭部（首から上の部分）Ｔを挿入する。この時、液晶ディスプレイ４１を視認できるように、顔Ａは正面を向いた状態であり、従って、エアバック２の開口部１に被験者の頭部Ｔの顔Ａの部分が挿入されることになる。そして、図５（ａ）に示すように、被験者の顔Ａが筐体６の内部に臨んで位置すると共に頭部Ｔの周囲（上方、側方及び下方）には収縮状態のエアバック２が位置することになる。次に、空気供給機５からエアバック２に空気を送り込んで膨張させる。空気の供給は、膨張したエアバック２が被験者の頭部Ｔの上面（額よりもやや後部分）と側面（耳よりもやや前部分）と下面（顎の下面）に圧接するように、すなわち、顔Ａの略輪郭に沿って頭部Ｔ顔Ａの周囲に密着（フィット）して圧接する状態になるまで行われる。そして、これにより、図５（ｂ）に示すように、頭部Ｔは膨張したエアバック２で周囲から押圧されてエアバック２の略中央部に保持して固定される。顔Ａの固定位置は、視野を計測するために眼科機器本体７に対して決められる所定の位置である。また、膨張したエアバック２と頭部Ｔとの間に隙間が無くなって光の通過を遮断することができ、筐体６の内部を容易に確実に暗所とすることができるものである。
【００１７】
この視野計Ａによる視野の測定原理を図６に基づいて説明する。図６（ａ）は液晶ディスプレイ４１の表示画面を示しており、画面の略中央に固視標Ｍ１を表示して、この固視標Ｍ１を被験者に片方の目で注視させた状態で、画面内の複数の表示位置に光刺激視標Ｍ２，Ｍ３，Ｍ４…をランダムに表示する。尚、図６（ａ）では光刺激視標Ｍ２…の内、現在表示中のものを●で示し、非表示のものを○で示している。また光刺激視標Ｍ２…の表示位置は図６（ａ）に示す位置に限定されるものではなく、被験者の視野を計測するために必要な任意の位置に表示される。
【００１８】
そして、各表示位置に光刺激視標Ｍ２…を表示した時の眼球Ｅの画像をＣＣＤカメラ３で撮像し（図６（ｂ）参照）、画像処理表示装置５により眼球Ｅの画像から瞳孔Ｐを抽出して、瞳孔径Ｄの変化を検出する。画像処理表示装置５では、瞳孔Ｐの抽出に瞳孔部分と眼球Ｅの他の部分とで赤外線反射率が異なることを利用した強膜反射法を用いており、図６（ｃ）は眼球Ｅの画像を処理して瞳孔Ｐを抽出した結果を示している。
【００１９】
ここで、各光刺激視標Ｍ２…として所定周期の光のパルス列を用いた測定の一例を提示する。周期２秒で適当な強さの白色パルス光刺激Ｐを５回連続で視野中心方向から提示したときの瞳孔の大きさ変化（瞳孔径Ｄの変化）を図７に示す。図７の横軸は時間を示し単位は秒、縦軸は瞳孔径Ｄを示し単位はｍｍである。図７より光刺激Ｐの提示前においても瞳孔径Ｄは一定でなく揺らいでいることがわかる。光刺激Ｐを提示後は、提示してから少しの時間遅れの後に瞳孔は収縮し始めて（以下、縮瞳と呼ぶ）、極小値に到達した後に拡大し始めて（以下、散瞳と呼ぶ）、光刺激Ｐの提示前の大きさに戻っていることがわかる。最初の１回目の光刺激Ｐに続いて２秒後に再度同じ光刺激Ｐを提示すると、１回目と同様に、縮瞳と散瞳が続いて生起することがわかる。５回の光刺激では、同様の瞳孔変化が５回生起していることが図７よりわかる。
【００２０】
すなわち、同一の光刺激Ｐを適当な時間間隔で提示することによって誘発される瞳孔径Ｄの変化は周期性をもっていることが図７よりわかる。単一の光刺激を照射するだけでは、それによって誘発される瞳孔径Ｄの変化が光刺激による変化なのか、そうでないのかが不明瞭であるが、図７のような周期性をともなった瞳孔径Ｄの変化を観察すると、それは光刺激Ｐによって誘発されたものである可能性が非常に大きいと考えられる。したがって、コンピュータ４６は、光刺激Ｐの変化の数（図７では５回）と、瞳孔径Ｄの変化の数（極小値と極大値の繰り返しで図７では５回）との対応がとれているか否かを判断することで、光刺激の強弱の変化と瞳孔反応の大きさの変化との同期性を判断する。あるいは、瞳孔径Ｄのデータ列に自己相関分析を適用してその周期性を調べることによっても光刺激の強弱の変化と瞳孔反応の大きさの変化との同期性を調べることが可能である。
【００２１】
図７では視野の中心方向から光刺激Ｐを提示した場合であるが、周辺方向から提示したときも全く同様のことがいえる。すなわち、周期的な光刺激Ｐに応じて、瞳孔径Ｄの変化に周期性が見られるかどうかをみることによってその光刺激Ｐに反応したかどうか、つまり、その光刺激Ｐに応じた網膜領域とそれにつながる視神経−瞳孔反応経路が正常か否かの判定が可能となる。そして、コンピュータ６は、各光刺激視標Ｍ２…における上記同期性の判断結果から被験者の視野の感度を計測する。
【００２２】
尚、上記眼科機器Ｃでは、周期１秒の白色パルス光刺激Ｐを用いたり、光刺激として正弦波状に強さが変化する白色光刺激を照射したりして、適宜な方法で視野を計測することができる。
【００２３】
このようにして視野を計測した後、エアバック２や配管５ａに設けた排気弁を開放することによって、エアバック２から空気を排出して収縮させる。これにより、顔位置決め装置Ｂによる頭部Ｔの固定を解除することができる。
【００２４】
図８に他の実施の形態を示す。この顔位置決め装置Ｂではエアバック２が複数のエア室２ａ、２ａ…を備えて形成されている。エア室２ａはエアバック２を周方向に沿って複数個に区分（分割）することにより形成されており、各エア室２ａと空気供給機５とをそれぞれ別々の配管５ａで接続することにより各エア室２ａに個別に空気を供給することができるようになっている。また、各配管５ａの途中に開閉弁がそれぞれ設けられており、各開閉弁を別々に操作して開閉量を変えることにより、各エア室２ａに送り込む空気の量を調節することができるようになっている。従って、これにより、各エア室２ａの膨張量を調節して異ならせることができる。その他の構成は上記の顔位置決め装置Ｂ及び眼科機器Ｃと同様である。
【００２５】
そして、この顔位置決め装置Ｂは上記と同様にして顔Ａの位置決めを行う。すなわち、筐体６の取付孔３に取り付けたエアバック２から空気を抜いて収縮状態にし、このエアバック２の開口部１に被験者の頭部Ｔの顔Ａの部分を挿入した後、空気供給機５からエアバック２に空気を送り込んでエアバック２を膨張させる。これにより、図８（ａ）に示すように、顔Ａは膨張したエアバック２で周囲から押圧されてエアバック２の略中央部に保持して固定される。また、膨張したエアバック２と頭部Ｔとの間に隙間が無くなって光の通過を遮断することができ、筐体６の内部を容易に確実に暗所とすることができるものである。さらに、この顔位置決め装置Ｂでは、エアバック２に顔Ａを保持した状態で各エア室２ａに送り込む空気量を調整することができ、これにより、膨張したエア室２ａで頭部Ｔを押圧することにより動かして顔Ａの保持位置を調整することができるものである。例えば、図８（ｂ）のものでは、顔Ａの右と右上のエア室２ａに供給した空気量を他のエア室２ａよりも多くすることにより膨張量を増加させており、これにより、顔Ａがエアバック２の中央部よりもやや左下に移動して保持されているものである。
【００２６】
上記の実施の形態では、エアバック２を支持する支持部材４と眼科機器本体７の筐体６とを兼用して顔位置決め装置Ｂを形成したが、これに限らず、支持部材４と筐体６とを別体で形成することもできる。すなわち、図９に示すように、支持部材４に取付枠部４ａを形成して取付枠部４ａの内側空間を取付孔３とし、取付孔３の縁部（取付枠部４ａの内側開口縁部）に沿ってエアバック２を取り付けることによって、顔位置決め装置Ｂを形成することができる。この顔位置決め装置Ｂは、眼科機器本体７を内蔵した筐体６と組み合わせて眼科機器Ｃを形成するものである。
【図面の簡単な説明】
【００２７】
【図１】本発明の眼科機器の実施の形態の一例を示す断面図である。
【図２】同上のブロック図である。
【図３】同上の斜視図である。
【図４】同上の使用状態を示す斜視図である。
【図５】同上の使用状態を示し、（ａ）（ｂ）は概略の説明図である。
【図６】（ａ）〜（ｃ）は測定方法の説明図である。
【図７】同上の２秒周期のパルス列の光刺激に対する瞳孔径の変化を測定した結果を示すグラフである。
【図８】同上の他の実施の形態の使用状態を示し、（ａ）（ｂ）は概略の説明図である。
【図９】同上の他の眼科機器を示し、（ａ）は概略の側面図、（ｂ）は顔位置決め装置を示す概略の正面図である。
【図１０】従来例を示す概略図である。
【符号の説明】
【００２８】
１  開口部
２  エアバック
３  取付孔
４  支持部材
５  空気供給機
６  筐体
７  眼科機器本体
Ａ  顔
Ｂ  顔位置決め装置
Ｃ  眼科機器
Ｔ  頭部
【図１】
2007260175.tif 000003
【図２】
2007260175.tif 000004
【図３】
2007260175.tif 000005
【図４】
2007260175.tif 000006
【図５】
2007260175.tif 000007
【図６】
2007260175.tif 000008
【図７】
2007260175.tif 000009
【図８】
2007260175.tif 000010
【図９】
2007260175.tif 000011
【図１０】
2007260175.tif 000012